(57)【要約】【課題】眼球を動かすために必要な眼の筋肉によって眼球が動く速度を測定可能な測定器であって速読訓練における客観的な指標を得るための測定器を提供する。【解決手段】眼球を動かすために必要な眼の筋肉によって眼球が動く速度を測定可能な眼筋力測定器１では、眼球が動く速度を単位時間あたりに読むことのできる文字数に換算するための換算スケールが定められており、換算スケール上の換算値に対応する複数の目盛３が、所定の配列順番に従って平面的に配列される。【選択図】  図１
2004180908.tif 000002
【特許請求の範囲】
【請求項１】
眼球を動かすために必要な眼の筋肉によって眼球が動く速度を測定可能な測定器であって、
前記眼球が動く速度を単位時間あたりに読むことのできる文字数に換算するための換算スケールが定められており、
前記換算スケール上の換算値に対応する複数の目盛が、所定の配列順番に従って平面的に配列される、測定器。
【請求項２】
前記複数の目盛を前記配列順番に結んだ線は非直線状である、請求項１記載の測定器。
【請求項３】
前記複数の目盛を前記配列順番に結んだ線はジグザグにのびる線であり、前記複数の目盛における奇数番目の目盛は直線的に配列し、前記複数の目盛における偶数番目の目盛も直線的に配列し、前記奇数番目の目盛が配列することによって生じる直線と前記偶数番目の目盛が配列することによって生じる直線とは前記ジグザグにのびる線を挟んで平行である、請求項２記載の測定器。
【発明の詳細な説明】
【０００１】
【発明の属する技術分野】
本発明は、測定器に関し、特に眼球を動かすために必要な眼の筋肉によって眼球が動く速度を測定可能な測定器に関する。
【０００２】
【従来の技術】
従来においては、眼球を動かすために必要な眼の筋肉と左脳を使った文章を読むスピード（単位時間あたりに読むことのできる文字数）とを関係付け、それを客観的に測定するという発想はなかった。このため、かかる客観的測定を可能とするような先行技術が無い結果、記載すべき先行技術文献情報はない。
【０００３】
【発明が解決しようとする課題】
しかしながら、本願出願人（発明者）は、上記客観的測定が可能になれば、眼球を動かすために必要な眼の筋肉と左脳を使った文章を読むスピードとの関係が明確になり、速読訓練における客観的な指標が得られることに着目した。
【０００４】
そこで、本発明の目的は、眼球を動かすために必要な眼の筋肉によって眼球が動く速度を測定可能な測定器であって速読訓練における客観的な指標を得るための測定器を提供することである。
【０００５】
【課題を解決するための手段】
請求項１に係る発明は、眼球を動かすために必要な眼の筋肉によって眼球が動く速度を測定可能な測定器であって、前記眼球が動く速度を単位時間あたりに読むことのできる文字数に換算するための換算スケールが定められており、前記換算スケール上の換算値に対応する複数の目盛が、所定の配列順番に従って平面的に配列される測定器である。
【０００６】
請求項２に係る発明では、請求項１において、前記複数の目盛を前記配列順番に結んだ線が非直線状である。
【０００７】
請求項３に係る発明では、請求項２において、前記複数の目盛を前記配列順番に結んだ線がジグザグにのびる線であり、前記複数の目盛における奇数番目の目盛が直線的に配列し、前記複数の目盛における偶数番目の目盛も直線的に配列し、前記奇数番目の目盛が配列することによって生じる直線と前記偶数番目の目盛が配列することによって生じる直線とが前記ジグザグにのびる線を挟んで平行である。
【０００８】
【発明の実施の形態】
まず、眼球自体を動かすために必要な眼の筋肉（以下、その力を「眼筋力」という。）について説明する。
【０００９】
眼筋力とは、特に左脳を使い、視線を移動させて一文字一文字を確認しつつ停滞しながら文章を読み進めるときに必要な眼球自体を動かす６つの筋肉（内直筋、外直筋、上直筋、下直筋、上斜筋及び下斜筋）の力をいうものとする。ここで、内直筋は内向きの運動を支配している。外直筋は外向きの運動を支配している。上直筋は上内向き運動を支配している。下直筋は下内向きの運動を支配している。上斜筋は下外向き運動と車輪回転運動を支配している。下斜筋は上外向き運動と車輪回転運動を支配している。そして、一文字一文字を確認して読み進める左脳を特に使った読み方では視線を届かすことができない文字を認識することができないことからも分かるように、このような眼筋力の大きさは文章を読むスピードに大きく関係し、眼筋力により眼球を動かす速度と文章を読むスピードとはほぼ比例関係にある。
【００１０】
本願出願人（発明者）は、過去の速読訓練を通じて収集した各種のデータを分析し、単位時間あたりに読むことのできる文字数と眼筋力との関係について鋭意研究した結果、以下に述べる眼筋力測定器の好ましい実施態様を完成した。
【００１１】
図１は本発明の実施の形態に係る眼筋力測定器を示す図である。
【００１２】
眼筋力測定器１は１枚の長方形状のボードであり、その表面には、ジグザグにのびるライン５が描かれ、複数の目盛３をライン５におけるのびる向きが変わる鋭角の頂点位置に順番に配置している。目盛３は１セットに１０個あり、各目盛３には番号がふられている。ここで、１番目の目盛３と２番目の目盛３との間の長さＬ１はほぼ２４ｃｍであり、２番目の目盛３と３番目の目盛３との間の長さＬ２もほぼ２４ｃｍである。３番目の目盛３と４番目の目盛３との間の長さもほぼ２４ｃｍであり、以下同様の関係がある。そのため、目盛３の１番目から１０番目のうち、奇数番目の目盛はジグザグにのびたライン５を挟んで左に配置されて縦に直線的に配列し、偶数番目の目盛はジグザグにのびたライン５を挟んで右に配置されて縦に直線的に配列し、この奇数番目の目盛３の配列による直線と偶数番目の目盛３の配列による直線とはジグザグにのびるライン５を挟んで平行である。そして、眼筋力測定器１には、３セット分のライン５及び目盛３がその表面に記されている。
【００１３】
眼筋力の測定は、ユーザが、目から３０ｃｍほど離れるように眼筋力測定器１を立てた状態で手に持ち、５秒間に１セット目の１番目の目盛３から順にどの目盛３まで視線を進ませることができるかにより行われる。例えば、２セット目の１番目の目盛３まで到達したユーザは、その眼筋力によって１，１００文字／分という１分間に１，１００文字を逐次読みできるという結果になる。行き着いたセット数から１を差し引いた値が千の位となり、各セットの目盛３の番号が百の位となる。すなわち、この眼筋力測定器１により、眼球を動かすために必要な眼の筋肉によって眼球が動く速度が文章を一文字一文字逐次読みするときのスピード（単位時間あたりに読むことのできる文字数）に換算され、速読に関する客観的な換算スケールが提供されて、速読訓練における客観的な指標が得られる。
【００１４】
表１は、かかる観点から、眼筋力測定器１を使って５秒間に到達することのできた目盛から、眼球が動く速度を単位時間（ここでは１分間）あたりに読むことのできる文字数に換算するための換算スケールの一例を表形式で示したものである。
【００１５】
【表１】
2004180908.tif 000003
【００１６】
但し、眼筋力測定器１により得られる測定結果は、眼筋力の定義から分かるように、ユーザが実際に文章を読むスピードとは完全には一致しない。例えば眼筋力測定器１により測定された読書スピード換算値以上に文章を読むスピードが速い人は右脳型とされるブロック読みなどを行っていることになる。逆に、眼筋力測定器１により測定された読書スピード換算値が実際に文章を読むスピードよりも遅い人は、読むスピードについての制限を自らかけている結果、文章に対する理解力を有効に発揮した読み方をしていない可能性がある。この場合、その人は速読訓練を行う前に本来到達しておくべき文章を読むスピードには達していないことになる。
【００１７】
ところで、一般に、眼筋力を鍛えなければ、文章を読むスピードが１，５００〜２，５００文字／分に達すると、多くの人にそれ以上には伸び悩むことがおこる。この点で、眼筋力を鍛えることは、速読スピードを向上させることにとって有効な手法であり、そのために本願出願人（発明者）は種々の手法を提案している。しかしながら、これらの訓練が行われても、眼筋力測定器１のような測定器がなければ、訓練を受けた者は、自己の能力を客観的に把握できず、能力を向上させる機会を逸してしまうことにもなりかねない。そこで、左脳を使った逐次読みに文章を読むスピードと眼筋力との関係であっても、客観的な指標が得られること自体に意義がある。
【００１８】
また、上記したように文章に対する理解力を最大限発揮したスピードで眼球を動かしていないことは、本人が勝手にかけてしまった制限の中で行われており、自らがこれに気付くことは困難である。この状況下において、眼筋力測定器１は、本人に対し、制限をかけた読み方をしていることを自覚させることが可能な点からも意義がある。
【００１９】
なお、眼筋力測定器１は、文章が横書きの場合における眼筋力を測定できるものとしているが、眼筋力測定器１を横に倒して測定を行えば文章が縦書きの場合における眼筋力を測定可能である。
【００２０】
図２は図１の眼筋力測定器１のサイズを大きくする場合の関係図である。
【００２１】
図１の眼筋力測定器１は、目盛３間の距離Ｌ１（Ｌ２）（以下、便宜上Ｌとする）を約２４ｃｍとし、眼筋力が測定されるユーザの右目７と左目９との中間点Ｏから眼筋力測定器１までの距離Ｌ３を約３０ｃｍとしている。ここで、眼筋力測定器１のサイズを拡大した眼筋力測定器１１は、以下の図形関係を満たす位置に設けられて使用されればよい。すなわち、眼筋力測定器１１における目盛間の距離をＬ４とし、眼筋力が測定されるユーザの右目７と左目９との中間点Ｏから眼筋力測定器１１までの距離をＬ５とした場合には、Ｌ：Ｌ４＝Ｌ３：Ｌ５が満たされればよい。そして、眼筋力測定器１１においても、眼筋力測定器１の場合と同様に、ユーザが５秒間にどの目盛まで進むことができるかによって眼筋力の測定は可能である。
【００２２】
また、上記では、距離Ｌ４を底辺とし、眼筋力が測定されるユーザの右目７と左目９との中間点Ｏを頂点とする三角形としたが、ユーザの右目７と左目９との間の距離Ｌ６を考慮してＬ４を変更してもよい。この場合、眼筋力測定器１のサイズを拡大した眼筋力測定器１１は、以下の２つのパターンがあり、以下に説明する図形関係を満たせばよい。
【００２３】
第１は、目盛間の距離をＬ７とし、眼筋力が測定されるユーザの右目７と左目９との中間点Ｏから眼筋力測定器１１までの距離をＬ５とした場合に、眼筋力測定器１１は、（Ｌ−Ｌ６）：（Ｌ７−Ｌ６）＝Ｌ３：Ｌ５を満たせばよい。
【００２４】
第２は、目盛間の距離をＬ８とし、眼筋力が測定されるユーザの右目７と左目９との中間点Ｏから眼筋力測定器１までの距離をＬ５とした場合に、Ｌ：Ｌ８＝Ｌ３×Ｌ／（Ｌ＋Ｌ６）：Ｌ５が満たされればよい。
【００２５】
以上のことから、眼筋力測定器１１の目盛間の距離は、眼筋力が測定されるユーザの右目７と左目９との中間点Ｏから眼筋力測定器１１までの距離Ｌ５との関係において、上記したＬ７以上Ｌ８以下のＬ４を含む長さの範囲内であればよい。
【００２６】
なお、上記眼筋力測定器１及び眼筋力測定器１１では、５秒間の測定を前提に、測定結果を単位時間あたりに読むことのできる文字数に換算するための目盛を描いたが、測定時間は５秒間には限られない。
【００２７】
図３は本発明の他の実施の形態に係る眼筋力測定器における目盛の配置例を示す図である。
【００２８】
幅のあるライン１３が渦巻き状に描かれ、内縁のライン１３ａには外側から中心に向けて目盛１５が順番に配置され、外縁のライン１３ｂには中心から外側に向けて目盛１５が順番に配置される。ここで、ライン１３ａ、ライン１３ｂにおける目盛１５の間隔は、図１に示す眼筋力測定器１における目盛３の間隔が参考とされる。
【００２９】
このような目盛１５とそれを配列順番に結んだライン１３ａ，１３ｂであっても、眼筋力の測定は可能である。すなわち、ユーザが、ライン１３ａに沿って目盛１５を外側の１番目から中心へ順に眼で追っていき、中心の１０番目まで到達した場合には、ライン１３ｂに沿って目盛１５を中心の１番目から外側へ順に眼で追っていき、さらに外側の１０番目まで到達した場合には、再度、ライン１３ａに沿って目盛１５を外側の１番目から中心へ順に眼で追うようにすればよい。
【００３０】
以上のように、図１における眼筋力測定器１の各セットの目盛３とライン５と、図３におけるライン１３ａ，１３ｂと目盛１５とを対応させることにより、眼球を動かすために必要な眼の筋肉によって眼球が動く速度を単位時間あたりに読むことのできる文字数に換算するための換算スケールが定められる。そして、ユーザが測定時間内にどの目盛まで到達するかにより、速読訓練の客観的な指標となる測定結果が得られる。
【００３１】
図４は本発明のさらに他の実施の形態に係る眼筋力測定器における目盛の配置例を示す図である。
【００３２】
ライン１７が星型に描かれ、そのライン１７における角に目盛１９が配置される。目盛１９は１０個あり、この目盛１９の間隔は、図１に示す眼筋力測定器１における目盛３の間隔が参考とされる。
【００３３】
このように配置された目盛１９に対し、１番目から順に眼で追わせ、何週目の何番目まで到達したかにより、眼筋力の測定が行われればよい。
【００３４】
なお、図１、図３及び図４の実施の形態における目盛は、その配列順番が明確になるようにラインによって結ばれていたが、ラインは必ずしも描かれる必要はない。すなわち、目盛のみであっても、その目盛を順に眼で追いかけていき、視線の軌跡がラインとなれば、ラインが描かれていることと等価である。
また、本発明は上記した実施の形態に限定されるものではなく、特許請求の範囲に記載した技術思想の範囲内において種々の変更が可能なのはいうまでもない。
【００３５】
【発明の効果】
本願発明によれば、眼球を動かすために必要な眼の筋肉によって眼球が動く速度を単位時間あたりに読むことのできる文字数に換算するための換算スケールが定められ、換算スケール上の換算値に対応する複数の目盛が所定の配列順番に従って平面的に配列されるため、ユーザが測定時間内にどの目盛まで到達するかという測定結果を速読訓練の客観的な指標として得ることができる。
【図面の簡単な説明】
【図１】本発明の実施の形態に係る眼筋力測定器を示す図である。
【図２】図１の眼筋力測定器１のサイズを大きくする場合の関係図である。
【図３】本発明の他の実施の形態に係る眼筋力測定器における目盛の配置例を示す図である。
【図４】本発明のさらに他の実施の形態に係る眼筋力測定器における目盛の配置例を示す図である。
【符号の説明】
１、１１    眼筋力測定器
３、１５、１９    目盛
５、１３ａ、１３ｂ、１７    ライン
【図１】
2004180908.tif 000004
【図２】
2004180908.tif 000005
【図３】
2004180908.tif 000006
【図４】
2004180908.tif 000007